(57)【特許請求の範囲】
【請求項１】
遊技域に設けられた特別図柄始動口と、
前記遊技域に設けられ、特別図柄を表示するための特別図柄表示装置と、
前記特別図柄始動口に遊技球が入球したことに起因して前記特別図柄表示装置にて前記特別図柄の変動表示を行なう特別図柄変動手段と、
該特別図柄表示装置にて行なわれる前記変動表示の変動パターンが少なくとも１つ格納された変動テーブルと、
前記特別図柄始動口に遊技球が入球したことに起因して変動パターン決定用乱数を発生させ、該変動パターン決定用乱数に基づいて前記変動テーブルから前記変動パターンを選択する変動パターン選択手段と、
前記遊技域に設けられ、前記変動パターン選択手段により選択された変動パターンに対応する演出画像を表示するための演出画像表示装置と、
前記特別図柄始動口に遊技球が入球したことに起因して特別図柄決定用乱数を発生させ、該特別図柄決定用乱数に基づいて前記特別図柄表示装置に表示する特別図柄を決定する特別図柄決定手段と、
前記遊技域に設けられ、前記特別図柄表示装置に表示された前記特別図柄が予め定められた特定の特別図柄であった場合に開放されて入球可能な状態となる特別電動役物と、
前記特別図柄決定手段によって決定された前記特別図柄が前記特別図柄表示装置に表示されるに同期して、前記特別図柄の演出用の図柄である演出図柄を前記演出画像表示装置に表示する演出図柄表示手段と、
前記遊技域に設けられた普通図柄始動口と、
前記遊技域に設けられ、普通図柄を表示するための普通図柄表示装置と、
前記普通図柄始動口に遊技球が入球したことに起因して前記普通図柄表示装置にて普通図柄の変動表示を行なう普通図柄変動手段と、
前記遊技域に設けられ、前記普通図柄表示装置に表示された普通図柄が予め定められた特定の図柄であった場合に開放され、該開放により該開放がされていない状態に比べ前記特別図柄始動口への入球を容易にする普通電動役物と、
を備えた遊技機において、
前記変動テーブルとして、少なくとも
予め定められた特定の変動パターンである終了変動パターンのみが格納された終了変動テーブルと、
前記終了変動パターン以外の変動パターンである当選変動パターンのみが格納された当選変動テーブルと、
前記終了変動パターンおよび前記当選変動パターンのいずれでもない変動パターンである継続変動パターンのみが格納された継続変動テーブルと、
が存在し、
前記特別図柄に対応して予め規定回数が定められており、該特別図柄が前記特別図柄表示装置に表示されたことに起因して、該表示された前記特別図柄の前記規定回数だけ更に前記特別図柄が変動されるまで、前記普通電動役物が開放される時間を延長するという特典を遊技者に付与し、前記規定回数だけ前記特別図柄が変動されると前記特典の付与を終了する特典付与手段と、
前記終了変動パターンにて前記特別図柄が変動される際には、前記演出画像として、当該遊技機の遊技者に見立てた味方キャラクタと、該味方キャラクタに対抗する敵キャラクタとが戦い、前記味方キャラクタが前記敵キャラクタに敗れる画像を前記演出画像表示装置に表示する終了演出画像表示手段と、
前記当選変動パターンにて前記特別図柄が変動される際には、前記味方キャラクタと、前記敵キャラクタとが戦い、前記味方キャラクタが前記敵キャラクタに勝つ画像または前記味方キャラクタが前記敵キャラクタに一旦負けた後に復活する画像を前記演出画像表示装置に表示する当選演出画像表示手段と、
前記継続変動パターンにて前記特別図柄が変動される際には、前記演出画像として、前記味方キャラクタが前記敵キャラクタに勝利する画像でも、前記味方キャラクタが前記敵キャラクタに敗れる画像でもない画像を前記演出画像表示装置に表示する継続画像表示手段と、
を備え、
前記変動パターン選択手段は、
前記特典が付与された状態における前記特別図柄の変動表示の結果、前記特別図柄表示装置に前記特定の特別図柄が表示される場合には、前記当選変動テーブルから前記変動パターンを選択し、該変動表示の結果、前記特別図柄表示装置に前記特定の特別図柄が表示されない場合には、該変動表示の回数が、前記規定回数に満たなければ前記継続変動テーブルから前記変動パターンを選択し、前記規定回数に等しければ前記終了変動テーブルから前記変動パターンを選択するものであり、
前記特別図柄が複数存在し、且つ該複数の前記特別図柄の中には、前記規定回数として互いに異なる値が定められたものが存在し、
前記演出図柄表示手段は、
前記規定回数が異なる特別図柄に対しても、同じ前記演出図柄を前記演出画像表示装置に表示するものであり、
前記規定回数が定められた前記特別図柄が前記特別図柄表示装置に表示されたことに起因して、前記規定回数に依らない一定回数、前記特別図柄が更に変動されるまで、前記特別図柄表示装置に表示する特別図柄として前記特定の特別図柄が決定される確率が高い高確率状態にする高確率状態発生手段
を備えたことを特徴とする遊技機。
【発明の詳細な説明】
【技術分野】
【０００１】
本発明は、図柄が所定回数変動される間、遊技者に特典が付与される遊技機に関するものである。
【背景技術】
【０００２】
従来の遊技機（パチンコ遊技機）は、発射された遊技球が始動口に入球すると特別図柄の変動を開始し、特定の特別図柄が確定表示されると、大当り遊技を発生させる。特に最近の遊技機は、所定の条件が成立すると、特定の特別図柄が表示される確率が高い状態（確率変動状態、高確率状態などという）に移行させる機種が主流である。高確率状態に移行させる条件としては、前記特定の特別図柄の中から設定された確変図柄などと呼ばれる特別図柄が表示されたことを挙げることができる。
【０００３】
この高確率状態を終了させて特定の特別図柄が表示される確率が低い状態（通常状態、低確率状態などという）に移行させる条件としては、前記特定の特別図柄の中から設定された通常図柄などと呼ばれる特別図柄が表示されたことを挙げることができる。また、特許文献１に示すように、特別図柄が所定回数変動されることにより高確率状態を終了させることも考えられる。特に特許文献１では、大当り遊技を発生させた特別図柄に応じ、終了契機となる変動回数が変化する構成となっている。
【０００４】
高確率状態以外の特典として、開放延長状態を付与する遊技機も存在する。開放延長状態とは、始動口に設けられている普通電動役物が備える翼片を開放する時間を延長させるもので、開放延長状態になると、始動口に容易に入球するようになり、該入球に対して払い出される賞球により、遊技者は持玉が減りにくい状態で遊技をすることが可能となる。なお、翼片の開放の契機となるのは、普通図柄の当選であり、この普通図柄は遊技機の備えるゲート（普通図柄始動口）を遊技球が通過したことを起因として変動を開始し、特定の普通図柄が確定表示されると、翼片が開放する。開放延長状態になると、通常、普通図柄の変動時間が短縮されるので、開放延長状態を時短状態とも言う。
【０００５】
この開放延長状態には、大当り遊技の発生により移行される機種が一般的であり、所定回数、特別図柄が変動されると、開放延長状態が終了する機種が多い。例えば特許文献２には、大当り遊技の発生契機となった特別図柄に応じ、開放延長状態の終了契機となる特別図柄の変動回数が変化する技術が開示されている。
【先行技術文献】
【特許文献】
【０００６】
【特許文献１】特開２０００−２８８１９４号公報
【特許文献２】特開２００４−１０５３５４号公報
【発明の概要】
【発明が解決しようとする課題】
【０００７】
しかしながら、前記した高確率状態や開放延長状態を、特別図柄が所定回数変動されると終了する構成とすると、「終了する以前に再び大当り遊技を発生させたい」という遊技興趣を生み出すことはできるものの、これは高確率状態や開放延長状態という特典が付与される前の状態と本質的に変わるものではない。すなわち、これらの特典が付与されていない状態では、特別図柄が変動し、当たれば大当り遊技の発生、外れれば現状維持である。一方、これらの特典が付与された状態では、特別図柄が変動し、当たれば大当り遊技の発生、外れれば特典の維持（前記した特典の終了条件が成立した場合を除く）である。
本発明は係る課題に鑑みなされたものであり、図柄が所定回数変動される間に限り特典が付与される機種において、今までにない遊技興趣を持たせることを目的とする。
【課題を解決するための手段】
【０００８】
上記課題を解決するためになされた本発明の第１参考例は、遊技域に設けられた特別図柄始動口と、前記遊技域に設けられ、特別図柄を表示するための特別図柄表示装置と、前記特別図柄始動口に遊技球が入球したことに起因して前記特別図柄表示装置にて前記特別図柄の変動表示を行なう特別図柄変動手段と、該特別図柄表示装置にて行なわれる前記変動表示の変動パターンが少なくとも１つ格納された変動テーブルと、前記特別図柄始動口に遊技球が入球したことに起因して変動パターン決定用乱数を発生させ、該変動パターン決定用乱数に基づいて前記変動テーブルから前記変動パターンを選択する変動パターン選択手段と、前記遊技域に設けられ、前記変動パターン選択手段により選択された変動パターンに対応する演出画像を表示するための演出画像表示装置と、前記特別図柄始動口に遊技球が入球したことに起因して特別図柄決定用乱数を発生させ、該特別図柄決定用乱数に基づいて前記特別図柄表示装置に表示する特別図柄を決定する特別図柄決定手段と、前記遊技域に設けられ、前記特別図柄表示装置に表示された前記特別図柄が予め定められた特定の特別図柄であった場合に開放されて入球可能な状態となる特別電動役物と、前記特別図柄決定手段によって決定された前記特別図柄が前記特別図柄表示装置に表示されるに同期して、前記特別図柄の演出用の図柄である演出図柄を前記演出画像表示装置に表示する演出図柄表示手段と、前記遊技域に設けられた普通図柄始動口と、前記遊技域に設けられ、普通図柄を表示するための普通図柄表示装置と、前記普通図柄始動口に遊技球が入球したことに起因して前記普通図柄表示装置にて普通図柄の変動表示を行なう普通図柄変動手段と、前記遊技域に設けられ、前記普通図柄表示装置に表示された普通図柄が予め定められた特定の図柄であった場合に開放され、該開放により該開放がされていない状態に比べ前記特別図柄始動口への入球を容易にする普通電動役物とを備えた遊技機において、前記変動テーブルとして、少なくとも予め定められた特定の変動パターンである終了変動パターンのみが格納された終了変動テーブルと、前記終了変動パターン以外の変動パターンである継続変動パターンのみが格納された継続変動テーブルと、が存在し、前記特別図柄に対応して予め規定回数が定められており、該特別図柄が前記特別図柄表示装置に表示されたことに起因して、該表示された前記特別図柄の前記規定回数だけ更に前記特別図柄が変動されるまで、前記普通電動役物が開放される時間を延長するという特典を遊技者に付与する特典付与手段と、前記終了変動パターンにて前記特別図柄が変動される際には、前記演出画像として、当該遊技機の遊技者に見立てた味方キャラクタと、該味方キャラクタに対抗する敵キャラクタとが戦い、前記味方キャラクタが前記敵キャラクタに敗れる画像を前記演出画像表示装置に表示する終了演出画像表示手段と、前記継続変動パターンにて前記特別図柄が変動される際には、前記演出画像として、前記味方キャラクタが前記敵キャラクタに勝利する画像でも、前記味方キャラクタが前記敵キャラクタに敗れる画像でもない画像を前記演出画像表示装置に表示する継続画像表示手段とを備え、前記変動パターン選択手段は、前記特典が付与された状態における前記特別図柄の変動表示の回数が、前記規定回数に満たない場合は前記継続変動テーブルから前記変動パターンを選択し、前記規定回数に等しい場合は前記終了変動テーブルから前記変動パターンを選択するものであり、前記特別図柄が複数存在し、且つ該複数の前記特別図柄の中には、前記規定回数として互いに異なる値が定められたものが存在し、前記演出図柄表示手段は、前記規定回数が異なる特別図柄に対しても、同じ前記演出図柄を前記演出画像表示装置に表示するものであり、前記規定回数が定められた前記特別図柄が前記特別図柄表示装置に表示されたことに起因して、前記規定回数に依らない一定回数、前記特別図柄が更に変動されるまで、前記特別図柄表示装置に表示する特別図柄として前記特定の特別図柄が決定される確率が高い高確率状態にする高確率状態発生手段を備えたことを特徴とする。
【０００９】
なお、複数の特別図柄の中には、規定回数がないものがあってもよい。こうした特別図柄の規定回数は０回と解釈すればよいからである。ただし最低２個の特別図柄については、０以外の規定回数が設定されているものとする（例えば、特別図柄Ａの規定回数は１０回、特別図柄Ｂの規定回数は２０回）。演出図柄表示手段は、規定回数が異なる特別図柄に対して同じ演出図柄を演出画像表示装置に表示するものであるが、これは「特別図柄の規定回数が異なっていても必ず同じ演出図柄を表示する」という意味ではない。例えば、特別図柄Ａの規定回数は１０回、特別図柄Ｂの規定回数は２０回、特別図柄Ｃの規定回数は３０回、特別図柄Ｄの規定回数は４０回となっており、これら４種類以外の特別図柄の規定回数が０回であった場合には、これら４種類の特別図柄の中の最低２種類に関しては、同じ演出図柄が演出画像表示装置に表示されるという意味である（もちろん、４種類いずれの特別図柄が特別図柄表示装置に表示されても、１つの演出図柄を演出図柄表示装置に表示する構成としてもよい）。この結果、演出図柄を見ているだけでは、規定回数が何回かを判断することは完璧にできないことになる。
【００１０】
また、特別図柄の味方キャラクタ、敵キャラクタとも、それぞれ１体とは限らない、１対多の戦いでもよいし、多対多の戦いが終了演出画像表示手段によって表示される構成でもよい。また、終了変動パターン、継続変動パターンともに複数存在しても構わない。複数のこれらの変動パターンの中から変動パターン選択手段が変動パターンを選択する。反面、終了変動テーブル、継続変動テーブルとも、格納されている変動パターンは１個のみでもよい。この場合、変動テーブルを選択するだけで、変動パターンが決定されることになるが、本発明ではこの場合も「（変動パターンの）選択」と呼ぶことにする。これは後述する当選変動テーブルも同様であり、当選変動パターンとして１個のみが格納されていても良い。
【００１１】
本発明の第２参考例は、遊技域に設けられた特別図柄始動口と、前記遊技域に設けられ、特別図柄を表示するための特別図柄表示装置と、前記特別図柄始動口に遊技球が入球したことに起因して前記特別図柄表示装置にて前記特別図柄の変動表示を行なう特別図柄変動手段と、該特別図柄表示装置にて行なわれる前記変動表示の変動パターンが少なくとも１つ格納された変動テーブルと、前記特別図柄始動口に遊技球が入球したことに起因して変動パターン決定用乱数を発生させ、該変動パターン決定用乱数に基づいて前記変動テーブルから前記変動パターンを選択する変動パターン選択手段と、前記遊技域に設けられ、前記変動パターン選択手段により選択された変動パターンに対応する演出画像を表示するための演出画像表示装置と、前記特別図柄始動口に遊技球が入球したことに起因して特別図柄決定用乱数を発生させ、該特別図柄決定用乱数に基づいて前記特別図柄表示装置に表示する特別図柄を決定する特別図柄決定手段と、前記遊技域に設けられ、前記特別図柄表示装置に表示された前記特別図柄が予め定められた特定の特別図柄であった場合に開放されて入球可能な状態となる特別電動役物と、前記特別図柄決定手段によって決定された前記特別図柄が前記特別図柄表示装置に表示されるに同期して、前記特別図柄の演出用の図柄である演出図柄を前記演出画像表示装置に表示する演出図柄表示手段と、前記遊技域に設けられた普通図柄始動口と、前記遊技域に設けられ、普通図柄を表示するための普通図柄表示装置と、前記普通図柄始動口に遊技球が入球したことに起因して前記普通図柄表示装置にて普通図柄の変動表示を行なう普通図柄変動手段と、前記遊技域に設けられ、前記普通図柄表示装置に表示された普通図柄が予め定められた特定の図柄であった場合に開放され、該開放により該開放がされていない状態に比べ前記特別図柄始動口への入球を容易にする普通電動役物とを備えた遊技機において、前記変動テーブルとして、少なくとも予め定められた特定の変動パターンである終了変動パターンのみが格納された終了変動テーブルと、前記終了変動パターン以外の変動パターンである継続変動パターンのみが格納された継続変動テーブルとが存在し、前記特別図柄に対応して予め規定回数が定められており、該特別図柄が前記特別図柄表示装置に表示されたことに起因して、該表示された前記特別図柄の前記規定回数だけ更に前記特別図柄が変動されるまで、前記普通電動役物が開放される時間を延長するという特典を遊技者に付与する特典付与手段を備え、前記変動パターン選択手段は、前記特典が付与された状態における前記特別図柄の変動表示の回数が、前記規定回数に満たない場合は前記継続変動テーブルから前記変動パターンを選択し、前記規定回数に等しい場合は前記終了変動テーブルから前記変動パターンを選択するものであり、前記特別図柄が複数存在し、且つ該複数の前記特別図柄の中には、前記規定回数として互いに異なる値が定められたものが存在し、前記演出図柄表示手段は、前記規定回数が異なる特別図柄に対しても、同じ前記演出図柄を前記演出画像表示装置に表示するものであって、少なくとも前記終了変動パターンにて前記特別図柄が変動される際には、複数の演出図柄を配列させてそれぞれ変動表示させ、該複数の演出図柄のうち、１つの演出図柄については他の演出図柄よりも遅れて前記変動表示を停止させ且つ前記他の演出図柄は互いに同じ演出図柄で停止させ、前記１つの演出図柄は他の演出図柄とは異なる演出図柄で停止させるリーチアクションを行なうものであり、前記終了変動パターンにて前記特別図柄が変動される際には、前記リーチアクションを演出するために予め定められた終了演出画像を前記演出画像表示装置に表示する終了演出画像表示手段と、前記規定回数が定められた前記特別図柄が前記特別図柄表示装置に表示されたことに起因して、前記規定回数に依らない一定回数、前記特別図柄が更に変動されるまで、前記特別図柄表示装置に表示する特別図柄として前記特定の特別図柄が決定される確率が高い高確率状態にする高確率状態発生手段とを備えたことを特徴とする。
【００１２】
本発明の請求項１に記載の遊技機は、遊技域に設けられた特別図柄始動口と、前記遊技域に設けられ、特別図柄を表示するための特別図柄表示装置と、前記特別図柄始動口に遊技球が入球したことに起因して前記特別図柄表示装置にて前記特別図柄の変動表示を行なう特別図柄変動手段と、該特別図柄表示装置にて行なわれる前記変動表示の変動パターンが少なくとも１つ格納された変動テーブルと、前記特別図柄始動口に遊技球が入球したことに起因して変動パターン決定用乱数を発生させ、該変動パターン決定用乱数に基づいて前記変動テーブルから前記変動パターンを選択する変動パターン選択手段と、前記遊技域に設けられ、前記変動パターン選択手段により選択された変動パターンに対応する演出画像を表示するための演出画像表示装置と、前記特別図柄始動口に遊技球が入球したことに起因して特別図柄決定用乱数を発生させ、該特別図柄決定用乱数に基づいて前記特別図柄表示装置に表示する特別図柄を決定する特別図柄決定手段と、前記遊技域に設けられ、前記特別図柄表示装置に表示された前記特別図柄が予め定められた特定の特別図柄であった場合に開放されて入球可能な状態となる特別電動役物と、前記特別図柄決定手段によって決定された前記特別図柄が前記特別図柄表示装置に表示されるに同期して、前記特別図柄の演出用の図柄である演出図柄を前記演出画像表示装置に表示する演出図柄表示手段と、前記遊技域に設けられた普通図柄始動口と、前記遊技域に設けられ、普通図柄を表示するための普通図柄表示装置と、前記普通図柄始動口に遊技球が入球したことに起因して前記普通図柄表示装置にて普通図柄の変動表示を行なう普通図柄変動手段と、前記遊技域に設けられ、前記普通図柄表示装置に表示された普通図柄が予め定められた特定の図柄であった場合に開放され、該開放により該開放がされていない状態に比べ前記特別図柄始動口への入球を容易にする普通電動役物とを備えた遊技機において、前記変動テーブルとして、少なくとも予め定められた特定の変動パターンである終了変動パターンのみが格納された終了変動テーブルと、前記終了変動パターン以外の変動パターンである当選変動パターンのみが格納された当選変動テーブルと、前記終了変動パターンおよび前記当選変動パターンのいずれでもない変動パターンである継続変動パターンのみが格納された継続変動テーブルとが存在し、前記特別図柄に対応して予め規定回数が定められており、該特別図柄が前記特別図柄表示装置に表示されたことに起因して、該表示された前記特別図柄の前記規定回数だけ更に前記特別図柄が変動されるまで、前記普通電動役物が開放される時間を延長するという特典を遊技者に付与し、前記規定回数だけ前記特別図柄が変動されると前記特典の付与を終了する特典付与手段と、前記終了変動パターンにて前記特別図柄が変動される際には、前記演出画像として、当該遊技機の遊技者に見立てた味方キャラクタと、該味方キャラクタに対抗する敵キャラクタとが戦い、前記味方キャラクタが前記敵キャラクタに敗れる画像を前記演出画像表示装置に表示する終了演出画像表示手段と、前記当選変動パターンにて前記特別図柄が変動される際には、前記味方キャラクタと、前記敵キャラクタとが戦い、前記味方キャラクタが前記敵キャラクタに勝つ画像または前記味方キャラクタが前記敵キャラクタに一旦負けた後に復活する画像を前記演出画像表示装置に表示する当選演出画像表示手段と、前記継続変動パターンにて前記特別図柄が変動される際には、前記演出画像として、前記味方キャラクタが前記敵キャラクタに勝利する画像でも、前記味方キャラクタが前記敵キャラクタに敗れる画像でもない画像を前記演出画像表示装置に表示する継続画像表示手段とを備え、前記変動パターン選択手段は、前記特典が付与された状態における前記特別図柄の変動表示の結果、前記特別図柄表示装置に前記特定の特別図柄が表示される場合には、前記当選変動テーブルから前記変動パターンを選択し、該変動表示の結果、前記特別図柄表示装置に前記特定の特別図柄が表示されない場合には、該変動表示の回数が、前記規定回数に満たなければ前記継続変動テーブルから前記変動パターンを選択し、前記規定回数に等しければ前記終了変動テーブルから前記変動パターンを選択するものであり、前記特別図柄が複数存在し、且つ該複数の前記特別図柄の中には、前記規定回数として互いに異なる値が定められたものが存在し、前記演出図柄表示手段は、前記規定回数が異なる特別図柄に対しても、同じ前記演出図柄を前記演出画像表示装置に表示するものであり、前記規定回数が定められた前記特別図柄が前記特別図柄表示装置に表示されたことに起因して、前記規定回数に依らない一定回数、前記特別図柄が更に変動されるまで、前記特別図柄表示装置に表示する特別図柄として前記特定の特別図柄が決定される確率が高い高確率状態にする高確率状態発生手段を備えたことを特徴とする。
【００１３】
本発明の第３参考例は、遊技域に設けられた特別図柄始動口と、前記遊技域に設けられ、特別図柄を表示するための特別図柄表示装置と、前記特別図柄始動口に遊技球が入球したことに起因して前記特別図柄表示装置にて前記特別図柄の変動表示を行なう特別図柄変動手段と、該特別図柄表示装置にて行なわれる前記変動表示の変動パターンが少なくとも１つ格納された変動テーブルと、前記特別図柄始動口に遊技球が入球したことに起因して変動パターン決定用乱数を発生させ、該変動パターン決定用乱数に基づいて前記変動テーブルから前記変動パターンを選択する変動パターン選択手段と、前記遊技域に設けられ、前記変動パターン選択手段により選択された変動パターンに対応する演出画像を表示するための演出画像表示装置と、前記特別図柄始動口に遊技球が入球したことに起因して特別図柄決定用乱数を発生させ、該特別図柄決定用乱数に基づいて前記特別図柄表示装置に表示する特別図柄を決定する特別図柄決定手段と、前記遊技域に設けられ、前記特別図柄表示装置に表示された前記特別図柄が予め定められた特定の特別図柄であった場合に開放されて入球可能な状態となる特別電動役物と、前記特別図柄決定手段によって決定された前記特別図柄が前記特別図柄表示装置に表示されるに同期して、前記特別図柄の演出用の図柄である演出図柄を前記演出画像表示装置に表示する演出図柄表示手段と、前記遊技域に設けられた普通図柄始動口と、前記遊技域に設けられ、普通図柄を表示するための普通図柄表示装置と、前記普通図柄始動口に遊技球が入球したことに起因して前記普通図柄表示装置にて普通図柄の変動表示を行なう普通図柄変動手段と、前記遊技域に設けられ、前記普通図柄表示装置に表示された普通図柄が予め定められた特定の図柄であった場合に開放され、該開放により該開放がされていない状態に比べ前記特別図柄始動口への入球を容易にする普通電動役物とを備えた遊技機において、前記変動テーブルとして、少なくとも予め定められた特定の変動パターンである終了変動パターンのみが格納された終了変動テーブルと、前記終了変動パターン以外の変動パターンである当選変動パターンのみが格納された当選変動テーブルと、前記終了変動パターンおよび前記当選変動パターンのいずれでもない変動パターンである継続変動パターンのみが格納された継続変動テーブルとが存在し、前記特別図柄に対応して予め規定回数が定められており、該特別図柄が前記特別図柄表示装置に表示されたことに起因して、該表示された前記特別図柄の前記規定回数だけ更に前記特別図柄が変動されるまで、前記普通電動役物が開放される時間を延長するという特典を遊技者に付与する特典付与手段を備え、前記変動パターン選択手段は、前記特典が付与された状態における前記特別図柄の変動表示の結果、前記特別図柄表示装置に前記特定の特別図柄が表示される場合には、前記当選変動テーブルから前記変動パターンを選択し、該変動表示の結果、前記特別図柄表示装置に前記特定の特別図柄が表示されない場合には、該変動表示の回数が、前記規定回数に満たなければ前記継続変動テーブルから前記変動パターンを選択し、前記規定回数に等しければ前記終了変動テーブルから前記変動パターンを選択するものであり、前記特別図柄が複数存在し、且つ該複数の前記特別図柄の中には、前記規定回数として互いに異なる値が定められたものが存在し、前記演出図柄表示手段は、前記規定回数が異なる特別図柄に対しても、同じ前記演出図柄を前記演出画像表示装置に表示するものであって、少なくとも前記終了変動パターンにて前記特別図柄が変動される際には、複数の演出図柄を配列させてそれぞれ変動表示させ、該複数の演出図柄のうち、１つの演出図柄については他の演出図柄よりも遅れて前記変動表示を停止させ且つ前記他の演出図柄は互いに同じ演出図柄で停止させ、前記１つの演出図柄は他の演出図柄とは異なる演出図柄で停止させるリーチアクションを行ない、前記当選変動パターンにて前記特別図柄が変動される際には、前記複数の演出図柄を全て同じ演出図柄で停止させるリーチアクションを行なうものであり、前記終了変動パターンにて前記特別図柄が変動される際には、前記リーチアクションを演出するために予め定められた終了演出画像を前記演出画像表示装置に表示する終了演出画像表示手段と、前記規定回数が定められた前記特別図柄が前記特別図柄表示装置に表示されたことに起因して、前記規定回数に依らない一定回数、前記特別図柄が更に変動されるまで、前記特別図柄表示装置に表示する特別図柄として前記特定の特別図柄が決定される確率が高い高確率状態にする高確率状態発生手段とを備えたことを特徴とする。
【００１４】
本発明の第４参考例は、請求項１または第３参考例の遊技機において、ｎを２以上の整数とするとき、前記規定回数として１が設定された前記特別図柄、前記規定回数として２が設定された前記特別図柄、・・・、および前記規定回数としてｎが設定された前記特別図柄が、いずれも存在し、前記演出図柄表示手段は、これらｎ個の特別図柄に対して、共通の前記演出図柄を前記演出画像表示装置に表示するものであることを特徴とする。
【００１５】
これは、１〜ｎの各自然数を規定回数とする特別図柄が全て存在するという意味である。例えばｎ＝３なら、規定回数が１の特別図柄、規定回数が２の特別図柄、および規定回数が３の特別図柄の何れもが存在することになる。また、ある規定回数の特別図柄が１つのみである必要はない。例えば規定回数が１の特別図柄は３個、規定回数が２の特別図柄は２個、規定回数が３の特別図柄は１個などと定めても良い。なお、ｎ＝２として本発明の遊技機を構成する場合には、規定回数として１の特別図柄と、規定回数として２の特別図柄が存在すればよい。また、「共通の前記演出図柄」は１つとは限らない。例えば特別図柄の規定回数が偶数であれば、演出図柄として「★」を表示し、特別図柄の規定回数が奇数であれば、演出図柄として「○」を表示するといったことをしてもよい。要は、遊技者から見て規定回数が分かりにくく構成されていれば良い。
【発明の効果】
【００１６】
本発明の第１参考例においては、複数の特別図柄に対して特典が付与される期間（正確には特別図柄の変動回数）を規定する規定回数が設定されており、特別図柄表示装置に表示された特別図柄を見ていれば、付与された特典の終了契機は、あと何回特別図柄が変動されたときであるかを予想することができる。ただし、これら特別図柄の中には、規定回数が異なるにも関わらず同じ演出図柄が演出画像表示装置に表示されるものが存在するため、こうした特別図柄に関しては、演出画像表示装置を見ているだけでは規定回数が分からない。なお、前述したように特別図柄の中には規定回数が０のものがあってもよく、こうした特別図柄が表示された場合には遊技者に特典は付与されない。
【００１７】
特典の内容は、普通電動役物が開放される時間を延長するというものである。つまり前述した開放延長状態を発生させることが特典となっている。普通電動役物は、遊技域に設けられており、これが開放されると、開放がされていない状態に比べ特別図柄始動口への入球が容易になる。特別図柄始動口へ入球すれば特別図柄が変動するので、普通電動役物が開放されると特別図柄が変動し易くなる。開放延長状態になると、特別図柄が一層変動し易くなる。これにより、規定回数が定められた特別図柄が特別図柄表示装置に表示され易くなり、更に特典が付与される可能性も高くなる。
【００１８】
そして変動パターン選択手段は、特典が付与された状態においては、終了契機となる特別図柄の変動パターンを終了変動テーブルから選択し、それ以外（ただし特典は付与されているものとする）の特別図柄の変動パターンは、継続変動テーブルから選択する。終了変動テーブルは、終了変動パターンのみが格納されており、継続変動テーブルは継続変動パターンのみが格納されている。継続変動パターンは終了変動パターンとは異なる変動パターンである。
【００１９】
そして終了変動パターンにて特別図柄が変動される際には、演出画像として、当該遊技機の遊技者に見立てた味方キャラクタと、これに敵対する敵キャラクタとが戦い、味方キャラクタが敵キャラクタに敗れる画像を終了演出画像表示手段が演出画像表示装置に表示する。一方、継続変動パターンにて特別図柄が変動される際には、演出画像として、味方キャラクタが敵キャラクタに勝利する画像でも、味方キャラクタが敵キャラクタに敗れる画像でもない画像を継続画像表示手段が演出画像表示装置に表示する。例えば両者が睨み合っていたり、相手の出方を伺っているような画像である。なお、こうした味方キャラクタと敵キャラクタが戦う演出は、バトル演出と呼ばれることがある。
【００２０】
つまり、特典が付与された状態で、特別図柄が変動し、その変動回数が、規定回数に満たない場合は、継続画像表示手段によって、味方キャラクタが勝つ映像でも負ける映像でもない映像が表示され、規定回数である場合には、味方キャラクタが敵キャラクタと戦って負ける映像が演出画像表示装置に表示される。演出画像表示装置を見る遊技者は、味方キャラクタが敵キャラクタと戦う映像を見ると、「味方キャラクタが負けると開放延長状態が終わってしまう」という緊張感を抱くことになる。なお、特典発生時に特別図柄表示装置に表示された特別図柄を遊技者が見て、これを憶えていれば、規定回数からその特典がこの特別図柄の変動で終わるか否か（つまり味方キャラクタが負けるか否か）が分かるのだが、遊技者は演出画像表示装置を見ており、しかも前述したように特別図柄の中には、規定回数が異なるにも拘らず、同じ演出図柄が演出画像表示装置に表示されるものが存在するので、遊技者が規定回数を把握できるとは限らない。
【００２１】
また、規定回数が定められた特別図柄が特別図柄表示装置に表示されたことに起因して、当該遊技機が高確率状態となる（つまり、前記特典が発生すると、高確率状態も発生する）。高確率状態とは、特別図柄表示装置に表示される特別図柄として、予め定められた特定の特別図柄が決定される確率が高い状態である。この特定の特別図柄が特別図柄表示装置に表示されると、遊技域に設けられた特別電動役物が開放され、特別電動役物に入球可能な状態となる。つまり、前記特典が発生すると、開放延長状態となることにより特別図柄始動口に入球し易くなって、特別図柄が変動され易くなるだけでなく、特定の特別図柄が表示される確率も上昇する。なお、この「特定の特別図柄」には規定回数が定められていることが望ましいが、定められていなくても構わない。高確率状態は、特別図柄が所定回数変動されるまで継続するが、この回数（終了回数と呼ぶ）は、規定回数に依存しない。すなわち、前記特典が発生すると、更に終了回数、特別図柄が変動されるまで高確率状態となると共に、該特典を発生させる起因となった特別図柄の規定回数分だけ特別図柄が変動されるまで、開放延長状態となる。
【００２２】
このような本発明の遊技機によれば、特典が終了するときにしか表示されず、しかも表示されて味方キャラクタが負けると特典が終わってしまう演出画像が演出画像表示装置に表示されるので、遊技者は高い緊張感をもってバトル演出を体験することができる。なお、大当り遊技が終了すると低確率状態（通常状態）になる場合や、出球のない大当り遊技が発生する場合に味方キャラクタが敗北するバトル演出を行なう遊技機が存在するが、こうした機種は所定回数、特別図柄が変動すると必ず特典（高確率状態など）が消滅する機種ではない。本発明は、規定回数、特別図柄が変動すると必ず特典が消滅（大当りを引く等の例外的な条件を除く）する機種であるため、非常に高い緊張度を遊技者に与えることができる。
【００２３】
なお、規定回数は終了回数を下回っていても良い。この場合、特典が発生した際には開放延長状態と高確率状態が共に発生し、ここから特別図柄が規定回数だけ変動されると開放延長状態が終了し、その後も高確率状態が継続することになる。この状態は特定の図柄が高確率で表示されるとはいえ、開放延長状態に比べて特別図柄を変動させるのが容易ではないため、遊技者にとって好ましい状態とはいえない。従ってこのように遊技機を構成した場合にも、遊技者は高い緊張感をもってバトル演出を体験することができる。
【００２４】
第２参考例の遊技機が、第１参考例に記載の遊技機と異なる点は、特典の終了契機となる特別図柄の変動の演出としてバトル演出を行なうとは限らない点である。その代わりに演出画像表示装置において、演出図柄を用いてリーチアクションを行なう。リーチアクションとは、複数の演出図柄を配列させてそれぞれ変動表示させ、該複数の演出図柄のうち、１つの演出図柄については他の演出図柄よりも遅れて変動表示を停止させ、且つ他の演出図柄は互いに同じ演出図柄で停止させるものである。ここでは特に、前記１つの演出図柄は他の演出図柄とは異なる演出図柄で停止させるものを指す。そして終了変動パターンにて特別図柄が変動される際には、終了演出画像表示手段は、リーチアクションを演出するために予め定められた終了演出画像を演出画像表示装置に表示する。なお、終了演出画像が演出画像表示装置に表示されない場合であっても、リーチアクションが発生することはある。
【００２５】
つまり、特典が付与された状態で、特別図柄が変動し、その変動回数が規定回数に満たなくてもリーチアクションは発生するかもしれないが、終了演出画像は表示されない。規定回数である場合には、必ずリーチアクションが発生し、しかも終了演出画像が演出画像表示装置に表示される。演出画像表示装置を見る遊技者は、リーチアクションが発生し、且つ終了演出画像が演出画像表示装置に表示されると、「図柄が揃わないと特典が終わってしまう」という緊張感を抱くことになる。
このように特典が終了するときにしか表示されず、しかも特典が終わってしまう終了演出画像が演出画像表示装置に表示されるので、遊技者は高い緊張感をもってリーチアクションを体験することができる。
【００２６】
請求項１に記載の遊技機が、第１参考例の遊技機と異なる点は、まず第１に、変動テーブルとして更に当選変動テーブルを備えており、この当選変動テーブルの中には終了変動パターンでも継続変動パターンでもない当選変動パターンが格納されている点である。そして第２に、特典が付与された状態における特別図柄の変動表示の結果、特別図柄表示装置に特定の特別図柄が表示される場合には、当選変動テーブルから変動パターンを選択する点である。つまりこの場合、変動パターンとして当選変動パターンが選択される。これはその変動回数が規定回数未満か否（ちょうど規定回数）かを問わない。第３に、当選変動パターンにて特別図柄が変動される際には、味方キャラクタと敵キャラクタとが戦い、味方キャラクタが敵キャラクタに勝つ画像を当選演出画像表示手段が演出画像表示装置に表示する点である。
【００２７】
つまり、特典が付与された状態で、特別図柄が変動し、味方キャラクタが敵キャラクタと戦う映像が出力された場合、味方キャラクタが敵キャラクタに負けると特典が終了し、味方キャラクタが敵キャラクタに勝つと特別電動役物が開放される。なお、規定回数において前記特定の特別図柄が特別図柄表示装置に表示された場合を除き、規定回数に到達しているか否かを判定することにより、その戦いで味方キャラクタが勝つか敵キャラクタが勝つかは分かる筈である。なぜなら特別図柄の変動回数が規定回数に到達していれば敵キャラクタが勝利して特典が終了し、規定回数に満たなければ味方キャラクタが勝利して特別電動役物が開放される。しかしながら前述したように、規定回数を知るには特別図柄表示装置を見ている必要があるが、遊技者は演出画像表示装置を見ており、しかも特別図柄の中には、規定回数が異なるにも拘らず、同じ演出図柄が演出画像表示装置に表示されるものが存在するので、遊技者が規定回数を把握できるとは限らないからである。
【００２８】
このように味方キャラクタが勝つと特別電動役物が開放され、敵キャラクタが勝つと特典が終わってしまうという、落差の大きいバトル演出となるので、遊技者は非常に高い緊張感をもってバトル演出を体験することができる。
【００２９】
第３参考例の遊技機は、請求項１に記載の遊技機に近いものであるが、違いは、まず第１に、特典の終了契機となる図柄変動においてバトル演出を行なうとは限らず、代わりにリーチアクションを行なうこと、第２に当選変動パターンにて特別図柄を変動させる際には、複数の演出図柄を全て同じ図柄で停止させる点、第３に、特別図柄が終了変動パターンで変動される場合だけでなく、特別図柄が当選変動パターンで変動される場合にも、終了演出画像を演出画像表示装置に表示する点である。
【００３０】
つまり、特典が付与された状態で、終了演出画像が演出画像表示装置に表示されると、演出図柄が揃わなければ特典が終了し、演出図柄が全て揃えば特別電動役物が開放される。なお、遊技者が特別図柄表示装置に表示された特別図柄から規定回数を推定するのが困難なのは前述のとおりである。
【００３１】
このように特典が付与された状態で演出図柄が揃えば特別電動役物が開放され、演出図柄が揃わないと特典が終了してしまうという、落差の大きいバトル演出となるので、遊技者は非常に高い緊張感をもってリーチアクションを体験することができる。
【００３２】
第４参考例の遊技機は、請求項１または第３参考例の遊技機において、規定回数として１が設定された特別図柄、同じく２が設定された特別図柄、・・・、および同じく規定回数としてｎが設定された特別図柄が、いずれも存在する。そして演出図柄表示手段は、これらｎ個の特別図柄に対して、共通の演出図柄を演出画像表示装置に表示する。
【００３３】
このような構成によれば、特別図柄から規定回数を判定するのが極めて困難となる。例えば、これに反して規定回数が１，３，５、・・・のように奇数しか存在しない特別図柄の構成を第３参考例に適用した場合、奇数回目に終了演出画像が表示されれば、特典が終了する可能性も終了しない可能性もあるが、偶数回目に終了演出画像が表示されれば、その図柄変動は規定回数の図柄変動ではありえないので、特別電動役物が開放されることが確定する。第２参考例に適用した場合も、略同様の判定を行なうことができる。
これに対し、第４参考例の遊技機は、１〜ｎの全ての整数を規定回数とする特別図柄がそれぞれ存在するので、終了演出画像が表示されたときの特別図柄の変動回数から、特別電動役物が開くかハズレとなるかの判定を一層困難にすることができる。
【図面の簡単な説明】
【００３４】
【図１】本発明の実施例のパチンコ機５０の正面図
【図２】パチンコ機５０の遊技盤１の正面図
【図３】パチンコ機５０の背面図
【図４】パチンコ機５０の電気構成図
【図５】パチンコ機５０の主制御装置８０で実行されるメインルーチンの概要を示すフローチャート
【図６】主制御装置８０が行う始動入賞確認処理のフローチャート
【図７】主制御装置８０が実行する当否判定処理のフローチャート１
【図８】主制御装置８０が実行する当否判定処理のフローチャート２
【図９】主制御装置８０が実行する当否判定処理のフローチャート３
【図１０】主制御装置８０が実行する当否判定処理のフローチャート４
【図１１】主制御装置８０が実行する特別遊技処理のフローチャート１
【図１２】主制御装置８０が実行する特別遊技処理のフローチャート２
【図１３】主制御装置８０が実行する特別遊技処理のフローチャート３
【図１４】各当り図柄に対応して設定されている振分け、付与される特典内容、ＳＴ中に各変動テーブルが選択される変動回数を示すテーブル
【図１５】特別図柄が変動される際に、変動テーブルが選択される過程を示す説明図
【図１６】各変動テーブルの、リーチ演出の有無および平均変動時間を示すテーブル
【図１７】サブ統合制御装置８３が実行する大当り演出の説明図１
【図１８】サブ統合制御装置８３が実行する大当り演出の説明図２
【発明を実施するための形態】
【００３５】
以下に本発明の好適な実施形態について説明する。尚、本発明の実施の形態は下記の実施例に何ら限定されるものではなく、本発明の技術的範囲に属する種々の形態を採ることができ、各実施例に記載された内容を適宜組み合わせることが可能なことはいうまでもない。
【００３６】
図１に示すように、弾球遊技機の一種であるパチンコ機５０は、縦長の固定外郭保持枠をなす外枠５１にて構成の各部を保持する構造である。外枠５１の左側上下には、ヒンジ５３が設けられており、該ヒンジ５３の他方側には図３に記載する内枠７０が取り付けられており、内枠７０は外枠５１に対して開閉可能な構成になっている。前枠５２には、板ガラス６１が取り外し自在に設けられており、板ガラス６１の奥には図２に記載する遊技盤１が内枠７０に取り付けられている。
【００３７】
前枠５２の上側左右には、スピーカ６６が設けられており、パチンコ機５０から発生する遊技音が出力され、遊技者の趣向性を向上させる。また、遊技者の趣向性を向上させるために前枠５２に遊技状態に応じて発光する枠側装飾ランプ６５も複数設けられている。前枠５２の下方には、上皿５５と下皿６３が一体に形成されている。下皿６３の右側には発射ハンドル６４が取り付けられており、発射ハンドル６４を時計回りに回動操作することによって発射装置（図示省略）が可動して、上皿５５から供給された遊技球が遊技盤１に向けて発射される。
【００３８】
上皿５５の上部ほぼ中央には、遊技者が操作可能な演出ボタン６７が備えられており、この演出ボタン６７は、周囲にジョグダイヤル６８を備えたものとなっている。遊技者が所定期間中に、演出ボタン６７やジョグダイヤル６８を操作することで後述する演出図柄表示装置６に表示される内容が変化したり、スピーカ６６より出力される遊技音が変化したりする。また、このパチンコ機５０はいわゆるＣＲ機であって、プリペイドカードの読み書き等を行うためのプリペイドカードユニット（ＣＲユニット）５６が付属しており、パチンコ機５０の上皿５５には、貸出ボタン５７、精算ボタン５８及び残高表示器５９を有するＣＲ精算表示装置が備わっている。
【００３９】
図２は、本実施例のパチンコ機の遊技盤１の正面図である。なお、このパチンコ機の全体的な構成は公知技術に従っているので図示及び説明は省略する。図２に示すように遊技盤１には、公知のガイドレール２ａ、２ｂによって囲まれた略円形の遊技領域３が設けられている。この遊技領域３には多数の遊技釘４が打ち付けられている。
【００４０】
遊技領域３のほぼ中央部には、センターケース５が配されている。センターケース５は、公知のものと同様に、ワープ入口、ワープ通路、ステージ、演出図柄表示装置６（液晶表示装置であり擬似図柄を表示する。）の画面を臨ませる窓等を備えている。センターケース５の左方やや下には、複数個の７セグメント表示装置や複数個のＬＥＤを備えた状態報知装置１５が設置されている。センターケース５の下には、第１始動口１１が配置され、センターケース５の右方には、ゲート１７と第２始動口１２とがユニット化された複合入賞装置が配置されている。第２始動口１２は開閉可能な翼片を供えた普通電動役物を備えており、この翼片が開放しないと遊技球は第２始動口１２に入球できない構成となっている。
【００４１】
遊技領域の右下部には、複数個のＬＥＤからなる普通図柄表示装置７と、普通図柄保留数表示装置８と、特別図柄保留数表示装置１８と、７セグメント表示装置からなる特別図柄表示装置９とが配置されている。なお、前記翼片は、普通図柄表示装置７に特定の普通図柄が表示される（「普通図柄が当る」ともいう）と開放される。
【００４２】
第２始動口１２の下方にはアタッカー式の大入賞口１４が配置されている。また、第１始動口１１の左方には、第１左入賞口３１、第２左入賞口３２、第３左入賞口３３及び第４左入賞口３４が設けられている。なお、この第１左入賞口３１、第２左入賞口３２、第３左入賞口３３、第４左入賞口３４が、常時、入球率が変化しない普通入賞口である。
【００４３】
パチンコ機５０の裏面は図３に示すとおり、前述した遊技盤１を脱着可能に取り付ける内枠７０が前述した外枠５１に収納されている。この内枠７０には、上方から、球タンク７１、タンクレール７２及び払出装置７３が設けられている。この構成により、遊技盤１上の入賞口に遊技球の入賞があれば球タンク７１からタンクレール７２を介して所定個数の遊技球を払出装置７３により前述した上皿５５に排出することができる。また、パチンコ機５０の裏側には（図４も参照のこと）、主制御装置８０、払出制御装置８１、演出図柄制御装置８２、サブ統合制御装置８３、発射制御装置８４、電源基板８５が設けられている。なお、演出図柄制御装置８２、サブ統合制御装置８３がサブ制御装置に該当する。
【００４４】
主制御装置８０、演出図柄制御装置８２、サブ統合制御装置８３は遊技盤１に設けられており、払出制御装置８１、発射制御装置８４、電源基板８５が内枠７０に設けられている。なお、図３では、発射制御装置８４が描かれていないが、発射制御装置８４は払出制御装置８１の下に設けられている。また、球タンク７１の右側には、外部接続端子７８が設けられており、この外部接続端子７８より、遊技状態や遊技結果を示す信号が図示しないホールコンピュータに送られる。
【００４５】
このパチンコ機５０の電気的構成は、図４のブロック図に示すとおり、主制御装置８０を中心にして構成されている。なお、このブロック図には、単に信号を中継するだけのためのいわゆる中継基板及び電源回路等は記載していない。また、詳細の図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えているが、本実施例では発射制御装置８４にはＣＰＵ、ＲＯＭ、ＲＡＭは設けられていない。しかし、これに限るわけではなく、発射制御装置８４にＣＰＵ、ＲＯＭ、ＲＡＭ等を設けてもよい。
【００４６】
主制御装置８０には、第１始動口１１に入球した遊技球を検出する第１始動口スイッチ１１ａ、第２始動口１２に入球した遊技球を検出する第２始動口スイッチ１２ａ、普通図柄を作動させるゲート１７に進入した遊技球を検出する普通図柄作動スイッチ１７ａ、大入賞口１４に入球した遊技球を計数するための第１カウントスイッチ１４ａ、第１左入賞口３１、第２左入賞口３２、第３左入賞口３３、第４左入賞口３４に入球した遊技球を検出する左入賞口スイッチ３１ａ等の検出信号が入力される。
【００４７】
主制御装置８０は搭載しているプログラムに従って動作して、上述の検出信号などに基づいて遊技の進行に関わる各種のコマンドを生成して払出制御装置８１及びサブ統合制御装置８３に出力する。また主制御装置８０は、図柄表示装置中継端子板９０を介して接続されている特別図柄表示装置９、及び普通図柄表示装置７の表示、特別図柄保留数表示装置１８、普通図柄保留数表示装置８の点灯を制御する。
【００４８】
更に、主制御装置８０は、大入賞口ソレノイド１４ｂを制御することで大入賞口１４の開閉を制御し、普通電動役物ソレノイド（図４では普電役物ソレノイドと表記）１２ｂを制御することで第２始動口１２の開閉を制御する。主制御装置８０からの出力信号は試験信号端子にも出力される他、図柄変動や大当り（特別遊技ともいう）等の管理用の信号が外部接続端子７８に出力されてホールメインコンピュータ８７に送られる。主制御装置８０と払出制御装置８１とは双方向通信が可能である。
【００４９】
払出制御装置８１は、主制御装置８０から送られてくるコマンドに応じて払出モータ２０を稼働させて賞球を払い出させる。本実施例においては、賞球として払い出される遊技球を計数するための払出スイッチ２１の検出信号は払出制御装置８１に入力され、払出制御装置８１で賞球の計数が行われる構成を用いる。この他にも主制御装置８０と払出制御装置８１に払出スイッチ２１の検出信号が入力され、主制御装置８０と払出制御装置８１の双方で賞球の計数を行う構成を用いることも考えられる。
【００５０】
なお、払出制御装置８１はガラス枠開放スイッチ３５、内枠開放スイッチ３６、満杯スイッチ２２、球切れスイッチ２３からの信号が入力され、満杯スイッチ２２により下皿６３が満タンであることを示す信号が入力された場合及び球切れスイッチ２３により球タンクに遊技球が少ないあるいは無いことを示す信号が入力されると払出モータ２０を停止させ、賞球の払出動作を停止させる。なお、満杯スイッチ２２、球切れスイッチ２３も、その状態が解消されるまで信号を出力し続ける構成になっており、払出制御装置８１は、その信号が出力されなくなることに起因して払出モータ２０の駆動を再開させる。
【００５１】
また、払出制御装置８１はＣＲユニット端子板２４を介してプリペイドカードユニットと交信することで払出モータ２０を作動させ、貸し球を排出する。払出された貸し球は払出スイッチ２１に検出され、検出信号は払出制御装置８１に入力される。なお、ＣＲユニット端子板２４は精算表示基板２５とも双方向通信可能に接続されており、精算表示基板２５には、遊技球の貸出しを要求するための球貸ボタン、精算を要求するための返却ボタン、残高表示器が接続されている。
【００５２】
また、払出制御装置８１は、外部接続端子７８を介して賞球に関する情報、枠（内枠、前枠）の開閉状態を示す情報などをホールコンピュータに送信するほか、発射制御装置８４に対して発射停止信号を送信する。なお本実施例では遊技球を払い出す構成であるが、入賞等に応じて発生した遊技球を払い出さずに記憶する封入式の構成にしても良い。
【００５３】
発射制御装置８４は発射モータ３０を制御して、遊技球を遊技領域３に遊技球を発射させる。なお、発射制御装置８４には払出制御装置８１以外に発射ハンドルからの回動量信号、タッチスイッチ２８からのタッチ信号、発射停止スイッチ２９から発射停止信号が入力される。回動量信号は、遊技者が発射ハンドルを操作することで出力され、タッチ信号は遊技者が発射ハンドルを触ることで出力され、発射停止スイッチ信号は、遊技者が発射停止スイッチ２９を押すことで出力される。なお、タッチ信号が発射制御装置８４に入力されていなければ、遊技球は発射できないほか、発射停止スイッチ信号が入力されているときには、遊技者が発射ハンドルを触っていても遊技球は発射できないようになっている。
【００５４】
サブ統合制御装置８３はサブ制御装置に該当し、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカからの音声出力を制御し、ランプ制御装置としての機能部はランプ制御用のデータに基づいてランプドライバを作動させることによって各種ＬＥＤ、ランプ２６を制御する。  また、サブ統合制御装置８３には、演出ボタン６７およびジョグダイヤル６８が接続されており、遊技者が演出ボタン６７またはジョグダイヤル６８を操作した際には、その信号がサブ統合制御装置８３に入力される。
【００５５】
サブ統合制御装置８３と演出図柄制御装置８２とは双方向通信が可能である。演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、演出図柄等の演出画像を演出図柄表示装置６の画面６ａに表示させる。
【００５６】
メインルーチンを図５に従って説明する。メインルーチンは、Ｓ６５までの処理を実行した後、約２ｍｓ毎のハード割り込みにより繰り返し実行される。本実施形態では、当該メインルーチンが１回起動されるごとにＳ１０〜Ｓ６５までの１回だけ実行される処理を「本処理」と称し、この本処理を実行して余った時間内に時間の許す限り繰り返し実行されるＳ７０の処理を「残余処理」と称する。「本処理」は上記割り込みにより定期的に実行されることになる。
【００５７】
マイコンによるハード割り込みが実行されると、まず正常割り込みであるか否かが判断される（Ｓ１０）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。正常割り込みでない場合としては、電源投入時又はノイズ等によるマイコンの暴走等が考えられるが、マイコンの暴走は近年の技術の向上によりほとんど無いものと考えて良いので、たいていが電源投入時である。電源投入時にはＲＡＭの所定領域の値が所定値と異なる値となっている。
【００５８】
正常割り込みでないと判断されると（Ｓ１０：ｎｏ）、初期設定(例えば前記メモリの所定領域への所定値を書き込み、特別図柄及び普通図柄を初期図柄とする等のメモリの作業領域への各初期値の書き込み等）が為され（Ｓ１５）、残余処理（Ｓ７０）に移行する。
【００５９】
正常割り込みとの肯定判断がなされると（Ｓ１０：ｙｅｓ）、初期値乱数更新処理が実行される（Ｓ２０）。この処理は、初期値乱数の値についてこの処理を実行する毎に＋１するインクリメント処理であり、この処理実行前の初期値乱数の値に＋１するが、この処理を実行する前の乱数値が最大値である「２９９」のときには次回の処理で初めの値である「０」に戻り、「０」〜「２９９」までの３００個の整数を繰り返し昇順に作成する。
【００６０】
Ｓ２０に続く大当り決定用乱数更新処理（Ｓ２５）は、初期値乱数更新処理と同様に処理を実行する毎に＋１するインクリメント処理であり、最大値である「２９９」のときは次回の処理で初めの値である「０」に戻り、「０」〜「２９９」までの３００個の整数を繰り返し昇順に作成する。なお、大当り決定用乱数の最初の値は、初期値乱数設定処理で設定された値となる。この値が２５０であったとすると、大当り決定用乱数は「２５０」「２５１」「２５２」・・・「２９９」「０」「１」・・・と更新されていく。
【００６１】
なお、大当り決定用乱数が１巡（３００回、更新されること）すると、そのときの前記初期値乱数の値を大当り決定用乱数の初期値にし、大当り決定用乱数は、その初期値から＋１するインクリメント処理を行う。そして、再び大当り決定用乱数が１巡すると、その時の初期値乱数の値を大当り決定用乱数の初期値にする動作を行なう。つまり、この一連の動作を繰り返し続けることになる。前述の例では大当り決定用乱数が「２４９」になると１巡であるから、「２４９」の次は前記初期値乱数の値となる。仮に初期値乱数の値が「８７」だったとすると、「２４９」「８７」「８８」・・・「２９９」「０」「１」・・・「８６」と変化していき、「８６」の次は新たな前記初期値乱数の値となる。
【００６２】
大当り図柄決定用乱数更新処理（Ｓ３０）は「０」〜「２４９」の２５０個の整数を繰り返し作成するカウンタとして構成され、本処理毎に＋１され最大値を超えると初めの値である「０」に戻る。Ｓ３０に続く当り決定用乱数更新処理（Ｓ３５）は、「０」〜「５」の６個の整数を繰り返し作成するカウンタとして構成され、本処理毎で＋１され最大値を超えると初めの値である「０」に戻る。なお、当選することとなる値の数は通常確率状態時、高確率状態時ともに３であり、値は「０」、「３」、「５」である。なお、この当り決定用乱数更新処理は普通図柄の抽選に使用し、その他の初期値乱数、大当り決定用乱数、大当り図柄決定用乱数、リーチ判定用乱数、変動パターン決定用乱数は特別図柄の抽選に使用する。
【００６３】
リーチ判定用乱数更新処理（Ｓ４０）は、「０」〜「２２８」の２２９個の整数を繰り返し作成するカウンタとして構成され、本処理毎で＋１され最大値を超えると初めの値である「０」に戻る。なお、通常確率状態時で変動時間短縮機能未作動時に当選する値の数は２１で、値は「０」〜「２０」であり、通常確率状態時で変動時間短縮機能作動時に当選する値の数は５で、値は「０」〜「４」であり、高確率状態時に当選する値の数は６で、値は「０」〜「５」である。
【００６４】
変動パターン決定用乱数更新処理（Ｓ４５）は、「０」〜「１０２０」の１０２１個の整数を繰り返し作成するカウンタとして構成され、本処理毎で＋１され最大値を超えると初めの値である「０」に戻る。
【００６５】
続く入賞確認処理（Ｓ５０）では、第１始動口１１、第２始動口１２の入賞の確認及びパチンコ機５０に設けられ主制御基板８０に接続された各スイッチ類の入力処理が実行される。本実施例では、遊技球が第１始動口１１、第２始動口１２に入賞すると大当り決定用乱数、大当り図柄決定用乱数、変動パターン決定用乱数、リーチ判定用乱数など複数の乱数を取得されるのだが、保留記憶できる数を第１始動口１１と第２始動口１２をあわせて４個までとしており、保留記憶が満タンである４個のときに遊技球が第１始動口１１又は第２始動口１２に入賞しても賞球が払出されるだけで、前記複数の乱数は保留記憶されない構成になっている。
【００６６】
続いて、大当りか否かを判定する条件成立判定手段としての当否判定処理（Ｓ５５）を行う。この当否判定処理（Ｓ５５）が終了すると、続いて不正監視処理（Ｓ６０）は、普通入賞口（第１左入賞口３１、第２左入賞口３２、第３左入賞口３３、第４左入賞口３４）に対する不正が行われていないか監視する処理であり、所定時間内における入賞口への遊技球の入球が予め決定された規定数よりも多いか否かを判断して、多かった場合には不正と判断され、その旨を報知する処理である。つまり、不正判断手段は、主制御基板８０に設けている。
【００６７】
続く画像出力処理等の各出力処理（Ｓ６５）では、遊技の進行に応じて主制御基板８０は演出図柄制御装置８２、払出制御基板８１、発射制御装置８４、サブ統合制御装置８３、大入賞口ソレノイド１４ｂ等に対して各々出力処理を実行する。即ち、入賞確認処理（Ｓ５０）により遊技盤１上の各入賞口に遊技球の入賞があることが検知されたときには賞球としての遊技球を払い出すべく払出制御基板８１に賞球データを出力する処理を、遊技状態に対応したサウンドデータをサブ統合制御装置８３に出力する処理を、パチンコ機５０に異常があるときにはエラー中であることを報知すべく演出図柄制御装置８２にエラー信号を出力する処理を各々実行する。
【００６８】
本処理に続く前述の残余処理は、初期値乱数更新処理（Ｓ７０）から構成されるが、前述したＳ２０と全く同じ処理である。この処理は無限ループを形成し、次の割り込みが実行されるまで時間の許される限り繰り返し実行される。前述したＳ１０〜Ｓ６５までの本処理を実行するのに必要とされる時間は、大当り処理を実行するか否か、特別図柄の表示態様の相違等により割り込み毎に異なる。この結果、残余処理を実行する回数も割り込み毎に異なり、割り込み処理が１回実行されることにより初期値乱数に更新される値も一律ではなくなる。これにより、初期値乱数が大当り決定用乱数と同期する可能性は極めて小さくなる。大当り決定用乱数が１巡したときの、初期値乱数の値（０〜２９９の３００通り）が、同程度に発生するとすれば、同期する確率はわずか１／３００である。また、前述した当り決定用乱数更新処理（Ｓ３５）も残余処理内において実行するよう構成しても良い。
【００６９】
Ｓ５０の入賞確認処理は図６に示すようなもので、主制御装置８０は、第１始動口スイッチ１１ａおよび第２始動口スイッチ１２ａの検出信号に基づいて、第１始動口１１、第２始動口１２に遊技球が入球したか否かを判断する（Ｓ１００）。肯定判断なら（Ｓ１００：ｙｅｓ）、大当り決定用乱数、大当り図柄決定用乱数、リーチ判定用乱数、変動パターン決定用乱数、転落決定用乱数等を該当の各カウンタから読み込んで、保留記憶が満杯（本実施例では４個）か否かを判断する（Ｓ１０５）。
【００７０】
保留記憶が満杯でなければ（Ｓ１０５：ｎｏ）、上記の各乱数を保留記憶として記憶し、特別図柄保留数表示装置１８の点灯数を１増加させる（Ｓ１１０）。こうして各乱数を記憶すると、当処理を終了（リターン）する。既に４個の保留記憶があれば（Ｓ１０５：ｙｅｓ）、そのまま本処理を終了する。また、第１始動口１１、第２始動口１２のいずれにも遊技球が入球していない場合（Ｓ１００：ｎｏ）も、本処理を終了する。
【００７１】
Ｓ５５の当否判定処理は図７〜１０に示すようなもので、主制御装置８０は、特別電動役物が作動中か否かを大当りフラグに基づいて判断する（Ｓ２００）。Ｓ２００の判定が否定判断で、特別図柄が変動中でなく（Ｓ２０５：ｎｏ）、確定図柄の表示中でもなければ（Ｓ２１０：ｎｏ）、図８のＳ２５０に移行し、保留記憶（Ｓ１１０による保留記憶）があるか否かを判断する。
【００７２】
この保留記憶があれば（Ｓ２５０：ｙｅｓ）、保留記憶数をデクリメントし（Ｓ２５５）、Ｓ２７０に進む。Ｓ２７０では保留記憶の中で最も古いものを読み込んで（その保留記憶は消去する）、確変フラグがセットされている（すなわち１）か否かを判定する。ここで確変フラグが１とは、現在のパチンコ機５０が高確率遊技状態であることを意味する。肯定判断であれば（Ｓ２７０：ｙｅｓ）、読み込んだ大当り決定用乱数を確変テーブルに記録されている当り値と照合する（Ｓ２７５）。ここで当り値の数は１０で、７〜１６である。つまり当たり確率は１／３０となる。Ｓ２７０が否定判断された場合（Ｓ２７０：ｎｏ）は、Ｓ２８０にて当り決定用乱数を通常テーブルに記録されている当り値と照合する。ここで当り値は７のみである。つまり当たり確率は１／３００となる。
【００７３】
Ｓ２７５またはＳ２８０の判定が行なわれると、Ｓ２８５にて大当りか否かを判定（当否判定）し、肯定判定であれば（Ｓ２８５：ｙｅｓ）、大当り図柄決定用乱数によって当り図柄を決定する（Ｓ２９０）。この当り図柄と、各当り図柄が選択される確率と、各大当り図柄が特別図柄表示装置９に確定表示されたことにより発生した大当りの後に遊技者に付与される特典の内容について、図１４を用いて説明する。大当り図柄決定用乱数の値が「０」〜「４」の場合には、大当り図柄として図柄１が選択される。つまり図柄１の振分けは５／２５０となっている。図柄１が表示されたことにより発生した大当り遊技の後には、特別図柄が更に３０回変動されるまで、確変機能が作動し、特別図柄が１回変動されるまで時短機能が作動する。確変機能が作動すると、パチンコ機５０が当否判定を行なう際に確変テーブル（Ｓ２７５の説明にて後述）を用いる状態（高確率遊技状態）になり、時短機能が作動すると、特別図柄の平均変動時間および、普通図柄の平均変動時間が何れも短縮され、普通電動役物の開放期間が延長される。なお、「特典内容」の右欄にある「ＳＴ中の変動テーブル」については後述する。大当り図柄決定用乱数の値が「５」〜「９」の場合には、大当り図柄として図柄２が選択される（図柄２の振分けも５／２５０となっている）。図柄２が表示されたことにより発生した大当り遊技の後には、特別図柄が更に３０回変動されるまで、確変機能が作動し、特別図柄が２回変動されるまで時短機能が作動する。以下、図柄３、図柄４、・・・と図柄１０まで、付与された時短状態の消滅条件である特別図柄の変動回数が、１回ずつ増えていき（つまり図柄１０が確定表示されると、大当り遊技の終了後、特別図柄が１０回変動されるまで時短機能が付与される。確変機能は当り図柄によらず特別図柄が３０回変動されるまで付与される。確変機能については後述する図柄１１〜３０で当った場合も同様）、振分けは何れも５／２５０となっている。
【００７４】
大当り図柄決定用乱数の値が「５０」〜「５９」の場合には、大当り図柄として図柄１１が選択される。つまり図柄１１の振分けは１０／２５０となっている。図柄１１が表示されたことにより発生した大当り遊技の後には、特別図柄が更に１１回変動されるまで、時短機能が作動する。以下、図柄１２、図柄１３、・・・と図柄３０まで、付与された時短機能の消滅条件である特別図柄の変動回数が、１回ずつ増えていき（つまり図柄３０が確定表示されると、大当り遊技の終了後、特別図柄が３０回変動されるまで時短機能が付与される）、振分けは何れも１０／２５０となっている。
【００７５】
図８に戻る。こうして大当り図柄が決定すると、変動パターン決定用乱数等によって変動パターンを決定する（Ｓ２９５）。変動パターン決定処理（Ｓ２９５）の概要を図１５、図１６に示す。なお、図１５では後述するＳ３０５における変動パターン決定処理の概要（遊技状態が通常状態（非時短）および確変（非時短）の場合における変動テーブルの選定方法）も併せて示した。遊技状態が確変かつ時短であって、大当り判定の結果が大当りの場合は、変動テーブル１が選択される（これがＳ２９５の処理）。大当り判定の結果がハズレの場合は、特殊変動フラグの値が１であれば変動テーブル２を選択し、特殊変動フラグの値が０であれば変動テーブル３または変動テーブル４を選択する（特殊変動フラグについては後述）。変動テーブル３または変動テーブル４の何れを選択するかは、現在の第１保留記憶の数に基づく。すなわち第１保留記憶の数が０または１であれば変動テーブル３が選択され、第１保留記憶の数が２〜４であれば変動テーブル４が選択される。これら変動テーブル２〜４が選ばれる処理が後述するＳ３０５の変動パターン決定処理の一部である。
【００７６】
また、遊技状態が通常（低確率状態）である場合は、大当り判定の結果が大当りであれば、変動テーブル５が選択される（これもＳ２９５の処理）。大当り判定の結果がハズレの場合は、リーチ判定用乱数の値に基づいて変動テーブルを選択する。すなわちリーチ判定用乱数の値が０〜７であれば変動テーブル６が選択され、８であれば変動テーブル７が選択され、９〜２２８であれば、現在の第１保留記憶の数に基づいて選択する変動テーブルを変更する。すなわち、第１保留記憶の数が０または１であれば変動テーブル８が選択され、２であれば変動テーブル９が選択され、３または４であれば変動テーブル１０が選択される。これら変動テーブル６〜１０が選ばれる処理も後述するＳ３０５の変動パターン決定処理の一部である。
【００７７】
遊技状態が確変（非時短）である場合（つまりＳＴにおいて時短状態が消滅して高確率状態のみが残った状態）は、大当り判定の結果が大当りであれば、変動テーブル１１が選択される（これもＳ２９５の処理）。大当り判定の結果がハズレの場合は、リーチ判定用乱数の値に基づいて変動テーブルを選択する。すなわちリーチ判定用乱数の値が０〜４であれば変動テーブル１２が選択され、５であれば変動テーブル１３が選択され、６〜２２８であれば、現在の第１保留記憶の数に基づいて選択する変動テーブルを変更する。すなわち、第１保留記憶の数が０または１であれば変動テーブル１４が選択され、２〜４であれば変動テーブル１５が選択される。これら変動テーブル１１〜１５が選ばれる処理も後述するＳ３０５の変動パターン決定処理の一部である。
【００７８】
各変動テーブルの概要は図１６のようになっている。各変動テーブルには複数の変動パターンが格納されており、図１５に示した方法にて選ばれた各変動テーブルから、変動パターン決定用乱数の値に基づいて変動パターンが選択される。図１６において「リーチ」とあるのは、各変動テーブル内の変動パターンにリーチアクションを伴うものがあるか否かを示すもので、「○」はリーチアクションを伴う変動パターンが存在すること、「×」はリーチアクションを伴う変動パターンが全くないことを示している。なお、変動テーブル１および変動テーブル２については、リーチアクションを伴う変動パターンのみからなる。つまり、確変かつ時短である遊技状態において、大当りになる場合には、変動テーブル１が選択されるので、必ずリーチアクションが行なわれる。一方、同じく確変かつ時短である遊技状態において、ハズレる際には、特殊変動フラグが１の場合のみリーチアクションが行なわれ、特殊変動フラグが０の場合に選択される変動テーブル３または４は、いずれにせよリーチアクションを伴う変動パターンを含んでいないので、リーチアクションが行なわれることはない。
【００７９】
なお、第１保留記憶の数が０または１の場合に選択される変動テーブル３の平均変動時間が１２秒であるのに対し、第１保留記憶の数が２〜４の場合に選択される変動テーブル４の平均変動時間が４秒となっている。この結果、第１保留記憶の数が多い場合は、第１保留記憶を速やかに消化して、第１保留記憶の空きを作り、第１始動口への新たな入賞により抽出される乱数を記憶し易くされている。
【００８０】
また遊技状態が低確率状態の場合に選択される変動テーブル５〜１０の内、変動テーブル８〜１０についても、変動テーブル３，４と同様、第１保留記憶の数が多くなるほど平均変動時間が短く設定されている。リーチ判定用乱数の値が０〜７の場合に選択される変動テーブル６は、いわゆるスーパーリーチ以外のリーチアクションを行なう変動パターンからなり、平均変動時間が３０秒となっている。同じくリーチ判定用乱数の値が８の場合に選択される変動テーブル７は、スーパーリーチを行なう変動パターンからなっている。スーパーリーチは様々な演出を行なうために特別図柄の変動時間が長くされており、この結果、変動テーブル７の平均変動時間は５５秒と、変動テーブル６や変動テーブル８〜１０に比べて長くなっている。なお、当りの場合に選択される変動テーブル５においてもスーパーリーチが行なわれ、この結果、平均変動時間は６０秒と長くされている。
【００８１】
遊技状態が低確率状態の場合に選択される変動テーブル１１〜１５の内、変動テーブル１１は前述のように大当りとなる場合に選択される変動テーブルであるため、リーチアクションを行なう変動パターンのある変動テーブルとなっており、スーパーリーチを行なうので平均変動時間が６０秒と長くなっている。当否判定の結果がハズレで、リーチ判定用乱数の値が０〜４の場合に選択される変動テーブル１２は、スーパーリーチ以外のリーチアクションを行なう変動パターンを含んでおり、平均変動時間が２５秒となっている。同じくリーチ判定用乱数の値が５の場合に選択される変動テーブル１３は、スーパーリーチを行なう変動パターンを含んでおり、平均変動時間が５５秒となっている。リーチ判定用乱数の値が６〜２８８の場合に選択される変動テーブル１４，１５についてはリーチアクションが行なわれることはない。そして変動テーブル３，４などと同様、第１保留記憶の数が多い場合（具体的には２〜４）に選択される変動テーブル１５の方が、第１保留記憶の数が少ない場合（具体的には０〜１）に選択される変動テーブル１４よりも平均変動時間が短くされている。
【００８２】
図８に戻る。こうして変動パターンが決定されると大当り設定処理を行う（Ｓ３００）。なお、Ｓ２８５において外れと判定された場合は、変動パターン決定用乱数等によって変動パターンを決定し（Ｓ３０５）、ハズレ設定処理（Ｓ３１０）を行なう。ハズレ設定処理では、確変回数のデクリメント（確変フラグが１のとき）、および時短回数のデクリメント（時短フラグが１のとき）が行なわれる。確変回数とは、図１４で説明した各停止図柄が表示されたことにより発生した大当り遊技の後に、特典として付与される確変機能が消滅するまでに特別図柄が変動される回数である。例えば確変回数が３０であれば、大当り遊技の後に確変機能が作動し、特別図柄が３０回変動すると、確変機能が停止する（低確率状態になる）。この、大当り遊技後の所定回数（確変回数）に限り確変機能が作動する仕様を回数切り確変やＳＴといい、ＳＴにより確変機能が作動している状態をＳＴ状態（ＳＴ中、或いは単にＳＴ）と言う。時短回数は、図１４で説明した各停止図柄が表示されたことにより発生した大当り遊技の後に、特典として付与される時短機能が消滅するまでに特別図柄が変動される回数であり、例えば時短回数が１５であれば、大当り遊技の後に時短機能が作動し、特別図柄が１５回変動されると作動が停止する（時短が消滅する）。なお、ＳＴ中に大当たり遊技が発生した場合には、残りの確変回数および残りの時短回数は消滅し、表示された当り図柄に対応して図１４に定められる確変回数および時短回数が改めて設定され、新たなＳＴ状態となる。
【００８３】
図８に戻る。Ｓ３００、又はＳ３１０に続いては、上述の抽選結果を示すデータ、具体的には大当り、リーチ外れ（外れであるがリーチ表示有り）、リーチ表示無しの外れのいずれかを示すデータと変動時間を指定する変動パターンのデータが含まれる変動開始コマンド（表示制御コマンド）をサブ統合制御装置８３に出力する（Ｓ３１５）。なお、Ｓ３１５の処理により演出図柄表示装置６では演出図柄を設定し、その変動表示を開始するが、ほぼ同時に特別図柄の変動も主制御装置８０によって開始される。特別図柄の当り図柄は図１４に示したように３０種類あるが、これら３０種類の当り図柄が特別図柄表示装置９に停止表示されるに対応して、Ｓ３１５の処理により演出図柄表示装置６に停止表示される演出図柄として、共通の図柄が表示され、演出図柄を見ているだけでは、大当り遊技後に付与されたＳＴ状態が、特別図柄が何回変動されると終了するのかが分からない仕様となっている。また、Ｓ３１５に関連して説明したように、特別図柄が変動する際には必ず演出図柄も変動され、且つ演出図柄が変動されるときには特別図柄も変動されるので、これらの図柄が変動することを単に「図柄が変動する」とも言う。
【００８４】
図７において特別図柄が変動中（Ｓ２０５：ｙｅｓ）と判定された場合には、図９のＳ３５０に移行し、図柄変動時間（Ｓ３００、又はＳ３０５の変動パターンに基づく）が経過したか否かを判定する。否定判断（Ｓ３５０：ｎｏ）であれば特別遊技処理を行い、肯定判断であれば確定図柄表示処理（Ｓ３５５）を行なってから特別遊技処理を行う。
【００８５】
図７において確定図柄を表示中と判定された場合（Ｓ２１０：ｙｅｓ）には、図１０のＳ４００に移行し、確定図柄の表示時間が終了したか否かを判定する。否定判断（Ｓ４００：ｎｏ）であれば特別遊技処理を行い、肯定判断であれば確定図柄表示終了処理（Ｓ４０５）を行なってから大当りになる組合せや否かを判定する（Ｓ４１０）。肯定判断なら確変フラグが１か否かを判定し（Ｓ４１５）、肯定判断なら（Ｓ４１５：ｙｅｓ）確変フラグを０にし（Ｓ４２０）、Ｓ４２５に移行する。否定判断なら（Ｓ４１５：ｎｏ）そのまま、Ｓ４２５に移行する。
【００８６】
Ｓ４２５では、時短フラグが１か否かを判定する。時短フラグが１であれば（Ｓ４２５：ｙｅｓ）、Ｓ４３０にて時短フラグを０にし、Ｓ４３５に移行する。時短フラグが１でなければ（Ｓ４２５：ｎｏ）、そのままＳ４３５に移行する。
【００８７】
Ｓ４３５では、特殊変動フラグが１か否かを判定する。特殊変動フラグが１であれば（Ｓ４３５：ｙｅｓ）、Ｓ４４０にて特殊変動フラグを０にし、Ｓ４４５に移行する。特殊変動フラグが１でなければ（Ｓ４３５：ｎｏ）、そのままＳ４４５に移行する。
【００８８】
Ｓ４４５では、条件装置作動開始処理により、大当りフラグをセットする。そしてＳ４５０にて役物連続作動装置を作動させ、Ｓ４５５にて大当り開始演出処理を行なう。大当り開始演出処理では、大当り遊技を開始するコマンド及び大当り遊技に係る情報（大当りのオープニング時間、開放パターン、大当りのエンディング時間、ラウンド数等）をサブ統合制御装置８３に送信する。大当り開始演出処理が終了すると、特別遊技処理を行なう。
【００８９】
Ｓ４１０で、確定表示させた特別図柄が大当りになる表示でないと判定された場合は、Ｓ４６０に移行して時短フラグが１か否かを判定する。肯定判断（Ｓ４６０：ｙｅｓ）であれば、時短回数が０か否かを判定する（Ｓ４５５）。時短回数が０であれば（Ｓ４６５：ｙｅｓ）、Ｓ４７０にて時短フラグを０にし、Ｓ４７５にて特殊変動フラグを０にしてＳ４９０に進む。時短フラグが１でないとき（Ｓ４６０：ｎｏ）はそのままＳ４９０に移行する。時短回数が０ではないとき（Ｓ４６５：ｎｏ）は、Ｓ４８０にて時短回数が１か否かを判定する。時短回数が１であれば（Ｓ４８０：ｙｅｓ）、Ｓ４８５にて特殊変動フラグを１にし、Ｓ４９０に移行する。時短回数が１でなければ（Ｓ４８０：ｎｏ）、そのままＳ４９０に移行する。つまり特殊変動フラグとは、開放延長状態が消滅するまでに特別図柄が変動される回数が１回である場合に１となり、その他の場合（非開放延長状態を含む）に０となる。
【００９０】
以上のことを図１５および図１６と考え合わせると、ＳＴ中は次のように変動パターンが発生する。特別図柄が最大ｎ回変動される間、時短を伴うＳＴ状態となった場合、大当り遊技の終了後、特別図柄が（ｎ−１）回変動されるまではリーチアクションは全く発生せず（特殊変動フラグが０であるがために変動テーブル３または４が選択されることによる）、ｎ回目の変動において特殊変動フラグが１となり、変動テーブル２が選択されてリーチアクションが必ず発生する。これら各変動テーブルが選択される可能性がある特別図柄の変動回数を示したのが、図１４の「ＳＴ中の変動テーブル」である。例えば、図柄１０で大当りとなった場合、変動テーブル３または４（図１４では「テーブル３，４」と表記）が選択されるのは、大当り遊技後に特別図柄が１〜９回変動される間であり、変動テーブル２（図１４では「テーブル２」と表記）が選択されるのは、大当り遊技後の１０回目の特別図柄の変動においてのみである。なお、ＳＴ中の当否判定で当りと判定された場合は、変動テーブル１が選択されるので、必ずリーチアクションが発生する。つまり、ＳＴ中にリーチアクションが発生した場合には、大当りとなるか時短状態が終了するかの何れかとなり、外れた上で、なおも時短状態が継続するということはない。ただしＳＴは３０回継続するので、時短状態が例えば１０回で終了した場合も、あと２０回特別図柄が変動される間、高確率状態は継続することになる。
【００９１】
図１０に戻る。Ｓ４９０では、確変フラグが１か否かを判定し、１であれば（Ｓ４９０：ｙｅｓ）、確変回数が０か否かを判定する（Ｓ４９５）。確変回数が０であれば（Ｓ４９５：ｙｅｓ）、Ｓ５００にて確変フラグを０にしてＳ５０５に進む。確変回数が０ではないとき（Ｓ４９５：ｎｏ）又は確変フラグが１でないとき（Ｓ４９０：ｎｏ）はそのままＳ５０５に移行する。Ｓ５０５では、現在の遊技状態が確変中であるか否か、時短中であるか否か等の状態を示す状態指定コマンドをサブ統合制御装置８３に送信し、特別遊技処理を実行する。
【００９２】
図１１〜１３に示す特別遊技処理では、主制御装置８０は、役物連続作動装置が作動中か否かを大当りフラグに基づいて判断する（Ｓ６００）。役物連続作動装置が作動中なら（Ｓ６００：ｙｅｓ）、大入賞口１４が開放中か否かを判断する（Ｓ６０５）。大入賞口１４の開放中ではない場合は（Ｓ６０５：ｎｏ）、ラウンド間のインターバル中により大入賞口１４が閉鎖しているのか判断する（Ｓ６１０）。インターバル中でもない場合は（Ｓ６１０：ｎｏ）、大当り終了演出中であるか判断する（Ｓ６１５）。これも否定判断の場合は（Ｓ６１５：ｎｏ）、今から大当り遊技を開始する演出に要する時間が経過したか否かを判定する（Ｓ６２０）。大当り開始演出時間が経過した場合は（Ｓ６２０：ｙｅｓ）、大入賞口開放処理（Ｓ６２５）を行なって本処理を終了（リターン）する。
【００９３】
Ｓ６０５で大入賞口１４が開放中であると判定された場合は、図１２のＳ６５０に進み、大入賞口１４に１０個入賞したか否かを判定する。なお、本実施例では１０個だが、９個、８個でもよく、特に限定するものではない。大入賞口１４に１０個入賞した場合（Ｓ６５０：ｙｅｓ）にはＳ６６０に進み、大入賞口閉鎖処理を行う。そして大当りインターバル処理（Ｓ６６５）を行なって、特別遊技処理を終了する。大入賞口１４に１０個入賞していない場合（Ｓ６５０：ｎｏ）にはＳ６５５に進み、大入賞口１４の開放時間が終了したか否かを判定する。本実施例では、１５ラウンドでの大当りの場合は各ラウンドの最大開放時間は３０秒に設定している。無論、これらの秒数に限定するものではない。開放時間が終了した場合（Ｓ６５５：ｙｅｓ）には、Ｓ６６０に合流し、終了していない場合（Ｓ６５５：ｎｏ）は特別遊技処理を終了する。
【００９４】
図１１のＳ６１０でインターバル中であると判定された場合は、図１２のＳ６７０に進み、大当りインターバル時間が経過したか否かを判定する。インターバル時間が経過している場合（Ｓ６７０：ｙｅｓ）は、直前に大入賞口１４が開いていたのが最終ラウンドか否かを判定する（Ｓ６７５）。最終ラウンドであれば（Ｓ６７５：ｙｅｓ）、大当り終了演出処理（Ｓ６８０）を行い、特別遊技処理を終了する。最終ラウンドでなければ（Ｓ６７５：ｎｏ）、再び大入賞口１４を開放する処理（Ｓ６８５）を行い、特別遊技処理を終了する。なお、大当りインターバル時間が経過していないと判定された場合（Ｓ６７０：ｎｏ）には、そのまま特別遊技処理を終了する。なお、大入賞口１４を開放・閉鎖する処理においては、サブ統合制御装置８３にも信号を送信する。サブ統合制御装置８３は、その信号に基づいて、現在のラウンドを把握し、該ラウンドに応じた演出を行なう。
【００９５】
図１１のＳ６１５で大当りの終了演出中であると判定された場合は、図１３のＳ７００に進み、大当り終了演出時間が経過したか否かを判定する。大当り終了演出時間が経過した場合には（Ｓ７００：ｙｅｓ）、役物連続作動装置の作動を停止し（Ｓ７０５）、条件装置の作動を停止する（Ｓ７１０）。そして、大当り終了後に確変に移行するか否かを判定する。確変に移行する場合（Ｓ７１５：ｙｅｓ）は確変回数を設定する（Ｓ７２０）。確変回数とは、図１４に「確変機能」として示した数字であり、パチンコ機５０では３０に固定されている。こうして確変回数が設定されると確変フラグを１に設定し（Ｓ７２５）、Ｓ７３０に移行する。確変に移行しない場合（Ｓ７１５：ｎｏ）はそのままＳ７３０に移行する。なお、パチンコ機５０においては、図１４にも示したように大当り終了後には必ず確変に移行する。
【００９６】
Ｓ７３０では、大当り終了後に時短に移行するか否かを判定する。肯定判断の場合（Ｓ７３０：ｙｅｓ）は、時短回数を設定する（Ｓ７３５）。時短回数とは、図１４に「時短機能」として示した数字であり、当り図柄に応じて設定されている。すなわち図柄１０であれば時短回数は１０であり、図柄２５であれば時短回数は２５である。こうして時短回数が設定されると、時短フラグを１に設定する（Ｓ７４０）。時短フラグを１にすると本実施例では特別図柄の平均変動時間短縮、普通図柄の平均変動時間短縮、普通電動役物の開放延長機能をセットし、時短回数カウンタの値をセットする。時短に移行しない場合（Ｓ７３０：ｎｏ）はＳ７４５に直行する。なお、パチンコ機５０においては、図１４にも示したように大当り終了後には必ず時短に移行する。Ｓ７４５では大当り終了コマンドをサブ統合制御装置８３に送信し、現在の遊技状態が確変中であるか否か、時短中であるか否か等の状態を示す状態指定コマンドをサブ統合制御装置８３に送信する処理（Ｓ７５０）を行なって特別遊技処理を終了する。なお、図１１で役物連続作動装置が作動していないと判定された場合（Ｓ７００：ｎｏ）には、特別遊技処理を終了する。以上が特別遊技処理である。
【００９７】
時短中に、パチンコ機５０で行なわれるリーチアクションを図１７、１８に示す。なお、前述したようにリーチアクションが行なわれるのは、時短が終了する場合または大当りになる場合に限られる。パチンコ機５０において時短中に行なわれるリーチアクションは、図１７，１８に示すようなバトル演出となっており、特別図柄の変動が開始されると、演出図柄表示装置６には図１７（ａ）に例示するような演出画像が表示される。演出図柄は、この画像の左上にて変動表示される。画面の中央に敵キャラクタ（向かって左側。熊の達吉）と、遊技者に対応する自キャラクタ（向かって右側。本発明の味方キャラクタに相当）が表示される。当否判定の結果が当りで、これにより変動テーブル１が選択された場合には、例えば演出図柄がリーチになると図１７（ｃ）のように、自キャラクタがアップで表示され、図１７（ｅ）のように、敵キャラクタにキックをあびせる。そして、図１８（ｇ）のように、「大当り！！」と表示され、大当り遊技が開始される。
【００９８】
また、演出図柄がリーチになった際に、図１７（ｃ）のように自キャラクタがアップになるのではなく図１７（ｂ）のように、敵キャラクタがアップで表示される場合もある（変動テーブル１，２とも）。この場合、図１７（ｄ）のように、敵キャラクタからキックをくらい、図１８（ｆ）のように、自キャラクタがしゃがみこむ。続いて図１８（ｈ）のように自キャラクタがダウンし、「連打で復活させろ！」と画面に表示される。このバトル演出が、変動テーブル１が選択されることにより発生されたものである場合には、遊技者が演出ボタン６７を連打すると、このゲージを満タンにするのに成功する場合がある。すると、図１８（ｊ）に示すように自キャラクタが起き上がり、「復活大当り」と表示され、大当り遊技が開始される。なお、変動テーブル１が選択された場合には、図１８（ｈ）の画面が表示された後に演出ボタン６７が連打されなくても、時間経過と共にゲージが回復していき、図１８（ｊ）の画像が表示される。つまり、変動テーブル１には、図１８（ｇ）の映像が演出図柄表示装置６に表示されて大当りになるものと、図１８（ｊ）の映像が演出図柄表示装置６に表示されて大当りになるものの２種類の変動パターンが存在する。いずれの変動パターンが選択されるかは、変動パターン決定用乱数の値により決定される。
【００９９】
図１８（ｈ）の画面が、変動テーブル２に基づいて表示されたものである場合には、どんなに遊技者が演出ボタン６７を連打しても、ゲージを満タンにするのに失敗し、図１８（ｉ）のように「敗北・・・」「バトルタイム終了」と表示されて、時短状態が終了する（時短状態は終了するが高確率状態は、時短状態における変動回数を含め、特別図柄が３０回変動されるまで残る）。なお、変動テーブル２には図１８に示した変動パターン以外にも、様々なバトル演出を経てハズレる変動パターンが存在する。例えば、図１８（ｈ）に示した演出ボタン６７を用いた演出に発展することなく、図１８（ｆ）の段階で「敗北・・・」「バトルタイム終了」と表示されて時短状態が終了する変動パターンもある。いずれの変動パターンが選択されるかは、変動パターン決定用乱数の値により決定される。また、時短状態中にハズレとなる場合には、変動テーブル３または４が選択されるが、その場合は、図１７（ａ）の画面から、敵味方いずれのキャラクタも図１７（ｂ）或いは図１７（ｃ）のように拡大されることはなく、軽いパンチやキックを放ち合う様子が表示される。この表示を行なう処理が本発明の「継続画像表示手段」に相当する。
【０１００】
以上のように構成されたパチンコ機５０によれば、時短状態の終了契機となる最後の特別図柄の変動においては図１７，１８に示したようなバトル演出が必ず行なわれるため、遊技者は抽選結果（当否）に関心を抱くだけではなく、「外れれば時短状態が終わってしまう」という緊張感を持って、そのリーチアクション（バトル演出）を体験することができる。しかもこのバトル演出は大当りになる際にも必ず行なわれ、それ以外の場合には決して行なわれないので、バトル演出が発生した際には、バトルに勝てば大当り、負ければ時短状態終了という勝負による落差の大きいリーチアクションを遊技者は体験することができる。そしてハズレの場合には、時短状態の終了契機となる最後の特別図柄の変動時を除き、リーチアクションが一切行なわれないので、時短状態を速やかに消化することができる。
【０１０１】
また、仮に時短状態の終了契機が、例えば「特別図柄が３０回変動したとき」と固定されていると、遊技者が「３０回に満たない状態でバトル演出になったから大当りだ」と判断することができるが、時短状態の終了契機が図１４に示したように３０種類もあるため、こうした判断が難しい仕様となっている。なお、特別図柄の変動が１０回以内で時短状態が終わる図柄は、振分けが各５／２５０であり、振分が１０／２５０である１１回以上で時短状態が終わる図柄に比べて選択率が低く設定されている。これにより、１０回以内にバトル演出が発生した場合には、１１回以上でバトル演出が発生した場合に比べ、大当りとなる可能性が高いという判断は可能となっている。
【０１０２】
ここで本実施例の構成・状態と、本発明および参考例の構成要件との対応関係を示す。第１始動口１１および第２始動口１２が本発明の「特別図柄始動口」に相当し、Ｓ３１５の処理が本発明の「特別図柄変動手段」に相当し、ゲート１７が本発明の「普通図柄始動口」に相当し、普通図柄表示装置７に表示される普通図柄を変動させる主制御装置８０が本発明の「普通図柄変動手段」に相当し、変動テーブル１が参考例の「当選変動テーブル」に相当し、変動テーブル２が本発明の「終了変動テーブル」に相当し、変動テーブル３および変動テーブル４が本発明の「継続変動テーブル」に相当し、Ｓ７２５の処理が本発明の「高確率状態発生手段」に相当し、Ｓ７３５の処理が本発明の「特典付与手段」に相当し、Ｓ２９５およびＳ３０５の処理が本発明の「変動パターン選択手段」に相当し、Ｓ２９０およびＳ３１０の処理が本発明の「特別図柄決定手段」に相当し、大当り決定用乱数および大当り図柄決定用乱数が本発明の「特別図柄決定用乱数」に相当し、確変機能が本発明の「特典」に相当し、図１４において時短機能として表示されている特別図柄の変動回数が本発明の「規定回数」に相当し、図１７および図１８において各図の左上に表示されている３，８，７などの数字が演出図柄に相当し、これらを演出図柄表示装置６に表示する処理が本発明の「演出図柄表示手段」に相当し、図１７（ａ）〜図１７（ｅ）、図１８（ｆ）〜図１７（ｈ）、及び図１８（ｊ）の画像を演出図柄表示装置６に表示する処理が参考例の「当選演出画像表示手段」に相当し、図１７（ａ）、図１７（ｂ）、図１７（ｄ）、図１８（ｆ）、図１８（ｈ）、図１８（ｉ）の画像を演出図柄表示装置６に表示する処理が本発明の「終了演出画像表示手段」に相当する。なお、「当選演出画像表示手段」と「終了演出画像表示手段」とで重複している画像は、両演出画像表示手段の双方で表示される画像である。
［他の実施例］
【０１０３】
前記実施例では、時短時以外にはバトル演出が出ない仕様であったが、時短時以外の遊技状態においても、バトル演出が出るように構成してもよい。但し、この場合も時短中については、その時短の終了契機である最後の特別図柄の変動と、当りと判定されたときのみ、バトル演出が表示されるようにする。この態様では、バトル演出を見た遊技者は、時短中にのみ、勝つと大当り、負けると時短終了という、落差の大きいリーチアクションを体験することができる。時短中以外にこのバトル演出を見た場合には、勝つと大当り、負けると単なるハズレという、従来どおりのリーチアクションを体験することになる。
【０１０４】
また、時短中においても、バトル演出以外のリーチアクション（非バトル演出と呼ぶことにする）は出現するように構成してもよい。こうした構成にするには、変動テーブル３、４の少なくとも一方に非バトル演出を入れることになる。但しこれだけでは、非バトル演出が行なわれた際にはハズレが確定してしまうので、該非バトル演出と少なくとも導入部は同じで、大当りに至るリーチアクションを、変動テーブル１に入れることが望ましい。この場合には、バトル演出が出た場合のみ、前述した落差の大きいリーチアクションを体験することができ、前記非バトル演出が出た場合は、図柄が揃えば大当り、揃わなければ単なるハズレ（時短継続）という、従来機の時短中のリーチアクションを体験することになる。
【０１０５】
また、前記実施例では、「勝つと大当り、負けると時短終了」という、落差の大きいリーチアクションはバトル演出であったが、バトル演出以外のリーチアクションを、このような落差の大きいリーチアクション（時短終了演出と呼ぶことにする）にすると、本発明の第３参考例となる。この場合も、前記実施例と同様、時短中のハズレとなる特別図柄の変動（時短の終了契機となる最後の特別図柄の変動を除く）では、時短終了演出は一切おこなわず、時短の終了契機となる最後の特別図柄の変動、および時短中の当りとなる特別図柄の変動では必ず時短終了演出を行なうようにする。
【０１０６】
なお、前記実施例のパチンコ機５０は、上皿５５、下皿６３を備えた構成であったが、これらの皿の一方または双方を備えない遊技機に本発明を適用しても良い。また、パチンコ機５０は、払出制御装置８１の発する指令に基づき、遊技球（賞球など）の払出を行なう構成であったが、こうした実際の遊技球を払い出さない遊技機に本発明を適用しても構わない。こうした遊技機では、遊技者の持玉を示すデータを遊技機やホールコンピュータ８７が保持し、入賞口への入球が発生したことを各入賞口スイッチが検出すると、持玉のデータに賞球分だけ加算していく構成とすることが考えられる。
【符号の説明】
【０１０７】
６：  演出図柄表示装置              ７：  普通図柄表示装置
９：  特別図柄表示装置            １１：  第１始動口
１２：  第２始動口                  １４：  大入賞口
１７：  ゲート                      ５０：  パチンコ機
８０：  主制御装置                  ８３：  サブ統合制御装置
【図１】
0005632864.tif 000002
【図２】
0005632864.tif 000003
【図３】
0005632864.tif 000004
【図４】
0005632864.tif 000005
【図５】
0005632864.tif 000006
【図６】
0005632864.tif 000007
【図７】
0005632864.tif 000008
【図８】
0005632864.tif 000009
【図９】
0005632864.tif 000010
【図１０】
0005632864.tif 000011
【図１１】
0005632864.tif 000012
【図１２】
0005632864.tif 000013
【図１３】
0005632864.tif 000014
【図１４】
0005632864.tif 000015
【図１５】
0005632864.tif 000016
【図１６】
0005632864.tif 000017
【図１７】
0005632864.tif 000018
【図１８】
0005632864.tif 000019